(57)【特許請求の範囲】
【請求項１】
屋内外で使用可能な蚊捕捉用携帯用蚊制御システムであって、
複数のチャンネルを含み、該チャンネルが蚊を導入して捕捉させるために内側に向かって開口している上部仕切り室と；
底部仕切り室と；
該上部仕切り室と底部仕切り室とを接続するためのネジ付き容器であって、少なくとも上部ネジと、下部ネジと、該上部ネジと下部ネジとの間に設けられたグリッドと、を具備してなるものと；
第１のボトルを保持する第１の固定具であって、該第１のボトルが少なくとも第１の蚊用誘引物を収容し、該第１の蚊用誘引物が少なくとも酵母発酵物を含むものと；
第２のボトルを保持する第２の固定具であって、該第２のボトルが少なくとも第２の蚊用誘引物を収容し、該第２の蚊用誘引物が少なくとも微生物培養物を含むものと；
該微生物培養物および酵母発酵物のための熱を発生させる、制御可能な加熱手段と；
該第１の蚊用誘引物および第２の蚊用誘引物の解放を助けるための誘引物解放ユニットであってスプレーノズルと、ポンプとを有するものと；を具備してなるシステム。
【請求項２】
蚊を捕捉することにより蚊を制御するための方法であって、該方法が：
少なくとも蚊を導入させる手段と、蚊を捕捉するための手段とを具備する蚊用トラップを備えること；
蚊を誘引するための蚊用誘引物であって、培基が、ＴＳＢ（トリプトン１５ｇ＋ソイトン５ｇ＋ＮａＣｌ５ｇ／Ｌ；ｐＨ７．３）、ＭＢ（ミルク粉５０ｇ＋ペプトン２．５ｇ＋ＮａＣｌ５ｇ／Ｌ；ｐＨ７．２）、及び、ＮＢ（ペプトン５ｇ＋牛肉抽出物１．５ｇ＋イースト抽出物１．５ｇ＋ＮａＣｌ５ｇ／Ｌ；ｐＨ７．４）から成るグループから選択され、ブレビバクテリウムが、ＢＥ９５８６、ＢＥ２０６５９、ＢＥ２０６６０、ＢＬ２０１５８、ＢＬ２０４２５及びＢＬ２０４２６から成るグループから選択された、ＢＥ２０６６０とＴＳＢの培基との組み合わせ、ＢＥ２０６５９とＭＢの培基との組み合わせ、ＢＥ９５８６とＮＢの培基との組み合わせ、ＢＥ９５８６とＭＢの培基との組み合わせ、ＢＥ９５８６とＴＳＢの培基との組み合わせ、ＢＬ２０１５８とＭＢの培基との組み合わせ、ＢＬ２０４２５とＭＢの培基との組み合わせ、ＢＬ２０４２６とＴＳＢの培基との組み合わせ、ＢＬ２０４２６とＭＢの培基との組み合わせ、又は、ＢＬ２０４２６とＮＢの培基との組み合わせで、ブレビバクテリウムが培基で成長することによって生成されるバクテリア分解物を含むものを用意すること；
該蚊用トラップ内に該蚊用誘引物を収容し、該蚊用誘引物により誘引された蚊が該蚊用トラップにより捕捉されるようにすること；
該蚊用誘引物の解放を促進するための誘引物解放手段であって、該蚊用誘引物の拡散を促進するため空気を吹き付けるようにするものを備えること；
該蚊用誘引物を培養するための熱を提供し、熱により蚊用誘引物からの匂いの発散を助長し、該熱が体温に似せたもので、蚊の誘引要素として作用するようにすること；
を具備してなる方法。
【請求項３】
蚊を誘引するための方法であって、該方法が：
蚊を誘引するための蚊用誘引物であって、培基が、ＴＳＢ（トリプトン１５ｇ＋ソイトン５ｇ＋ＮａＣｌ５ｇ／Ｌ；ｐＨ７．３）、ＭＢ（ミルク粉５０ｇ＋ペプトン２．５ｇ＋ＮａＣｌ５ｇ／Ｌ；ｐＨ７．２）、及び、ＮＢ（ペプトン５ｇ＋牛肉抽出物１．５ｇ＋イースト抽出物１．５ｇ＋ＮａＣｌ５ｇ／Ｌ；ｐＨ７．４）から成るグループから選択され、ブレビバクテリウムが、ＢＥ９５８６、ＢＥ２０６５９、ＢＥ２０６６０、ＢＬ２０１５８、ＢＬ２０４２５及びＢＬ２０４２６から成るグループから選択された、ＢＥ２０６６０とＴＳＢの培基との組み合わせ、ＢＥ２０６５９とＭＢの培基との組み合わせ、ＢＥ９５８６とＮＢの培基との組み合わせ、ＢＥ９５８６とＭＢの培基との組み合わせ、ＢＥ９５８６とＴＳＢの培基との組み合わせ、ＢＬ２０１５８とＭＢの培基との組み合わせ、ＢＬ２０４２５とＭＢの培基との組み合わせ、ＢＬ２０４２６とＴＳＢの培基との組み合わせ、ＢＬ２０４２６とＭＢの培基との組み合わせ、又は、ＢＬ２０４２６とＮＢの培基との組み合わせで、ブレビバクテリウムが培基で成長することによって生成されるバクテリア分解物を含むものを用意すること；
バクテリア分解物を生成するとともに、該蚊用誘引物を蒸発させ蚊誘引物を放出させる熱を提供することであって、該蚊誘引物がヒトに似せたバクテリア分解物からの匂いの組み合わせを少なくとも含み、該熱が体温に似せたもので、蚊の誘引要素として作用するようにすること；
該蚊用誘引物の解放を促進するための誘引物解放手段であって、該蚊用誘引物の拡散を促進するため空気を吹き付けるようにするものを備えること；
を具備してなる方法。
【発明の詳細な説明】
【０００１】
【発明の属する技術分野】
本発明は昆虫制御のための手段に関する。特に、本発明は蚊を制御、破壊するための、微生物媒介による蚊誘引方法に関する。
【０００２】
【従来の技術および発明が解決しようとする課題】
ヒトの歴史において昆虫の制御について大きな要望があった。蚊のような有害な昆虫を制御し、マラリア、黄熱病などの病気の拡散を防止する必要がある。世界中の公の健康施設において、蚊に関係する病気を除去するための強力な努力がなされてきたが、蚊の駆除の困難性から、その努力は全体として成功していない。蚊に関係する病気を除去するための他に、蚊を駆除する他の理由は、蚊による噛みつきによる害をなくすことである。従って、活動的な蚊を誘引し、捕捉し、破壊させることを含む、効果的な蚊の制御手段について長年に亘る要望があった。
【０００３】
メスの蚊はヒト宿主を求め、卵のため血を食事として得る。この宿主を特徴づける化学物質の組み合わせを介して蚊は宿主を見つけ出す。ヒト宿主から発生する揮発性物質が蚊の誘引物と考えられている。この揮発性物質は３００−４００種の化合物を含み、皮膚腺の分泌物又は皮膚ミクロフローラ、又はその双方から発散するものである。蚊はその嗅覚機構により９０メートルもの遠い距離から、この誘引物質を検知することができる。
【０００４】
従来の制御方法は、化学的手段により蚊の集団を全体として攻撃したり、蚊の発生源を除去することでしかなかった。これらの方法は、面倒であり、労力を要し、毒性の化学薬品の危険量により、環境が破壊されることもしばしばある。その他の試みとして、蚊用トラップを作ることがなされている。蚊をトラップにより捕捉するため、光、暖気、炭酸ガス、オクテノール、水蒸気、乳酸が誘引物質として使用されている。
【０００５】
【課題を解決するための手段】
本発明は、バクテリア分解物および酵母発酵物を誘引物質として使用し、血を食事とするメスの蚊並びに宿主を求めない蚊をそれぞれ制御する方法を提供するものである。本発明では、特に効果的な誘引を達成するため、熱と擬似的誘引物質との組み合わせを使用する。更に、本発明では、誘引物質解放機構が組み合わせて用いられ、この誘引物質解放機構は蚊用誘引物を周囲に拡散させることを促進する。更に、本発明は蚊を制御し、捕捉後に蚊を破壊するための蚊の捕捉方法を提供するものである。
【０００６】
本発明の他の目的は、蚊用誘引物を発生させると共に、人体の表面温度および匂いに似せたものを発生させる方法および装置を提供することである。微生物の培養および誘引物の蒸発のための適当な熱勾配を発生させるため、制御された加熱アッセンブリーが使用される。この誘引物の放出は、誘引物放出ユニットにより更に促進することができる。この誘引物は少なくとも酵母発酵物と微生物培養物とを含む。この誘引物は人体に無毒であり、発酵および分解からの天然生成物による蚊誘引物を発生させる。本発明は、誘引された蚊を破壊するための感電死用グリッドと、殺虫用ウェブと組み合わせることができる。
【０００７】
ここに、具体的又は広範に記載したように、本発明は、屋内外で使用可能な蚊捕捉用携帯用蚊制御システムを提供するものであって、このシステムは、複数のチャンネルを含み、該チャンネルが蚊を導入して捕捉させるための開口が形成されている上部仕切り室と；底部仕切り室と；該上部仕切り室と底部仕切り室とを接続するためのネジ付き容器とを具備してなる。このネジ付き容器は、少なくとも上部ネジと、下部ネジと、該上部ネジと下部ネジとの間に設けられたグリッドとを具備してなる。この蚊制御システムは更に、少なくとも酵母発酵物を収容した第１のボトルを保持する第１の固定具と、少なくとも微生物培養物を収容した第２のボトルを保持する第２の固定具と、該微生物培養物および酵母発酵物のため熱を発生させるための制御可能な加熱手段とを具備してなる。
【０００８】
ここに、具体的又は広範に記載したように、本発明は、周囲への誘引物の解放を促進するための誘引物解放ユニットを含む。この誘引物解放ユニットは、誘引物を周囲に細かな液滴（霧）として拡散させるスプレー機構を利用するものである。従って、誘引物の或る空間における拡散速度および蒸発速度が増加し、蚊用誘引物の効率を高め、蚊を誘引する有効距離を増大させる。この誘引物解放ユニットは、スプレーノズルと、ポンプとを有する。スプレーノズルは、内部チューブと、外部チューブとを有する。外部チューブはサイホンのように作用し、液体をスプレーノズルの外から吸引し、スプレーノズルの上部に液体を上昇させる。ポンプによって空気又はガスが外部チューブ内に導入され、内部チューブの頂部孔から高速で噴射される。従って、液状の誘引物は細かな液滴（霧）として拡散され、それにより誘引物の拡散および蒸発が促進される。なお、以上および以下の記載は、単なる例示に過ぎず、特許請求の範囲をより詳細に説明するためのものである。
【０００９】
【発明の実施の形態】
添付の図面は発明をより分かりやすくするためのものであり、明細書の一部を構成する。図１は、本発明の好ましい１例に係わる装置を示す模式図である。図２Ａは、本発明の好ましい１例に係わる装置の斜視図であり、図２Ｂは、図２Ａの装置の要部分解斜視図である。また、図３は、本発明の好ましい他の例に係わる装置における誘引物放出ユニットを示す模式図である。
【００１０】
ヒトの汗に存在するコリネバクテリアは、チーズおよび足の匂いとして放出するメタンチオールを発生させることが知られている。これら微生物は呼吸からのヒトの匂いを生成させる原因となっていると思われる。ヒト宿主において揮発性誘引物質を生成するのに関与する直接的微生物についての証拠が、汗の培養により誘引物質が高められることから実証されている。従って、これらの微生物を識別することは有益であり、ヒトの匂いに似せるためにこれらの微生物が、吸血蚊を誘引する手段として使用される。
【００１１】
オスの蚊にとって、ネクターは唯一の食料であり、多くの種類のメスの蚊は血を食する前に、糖質ミールを取る。宿主を探す過程において、糖はエネルギー源を思われ、エネルギー保存における最初の違いは、宿主の揮発性物質への応答にも影響を与える。炭酸ガスが蚊の種類に関係なく誘引物質であることが、投与量依存応答において報告されている。本発明においては、蚊誘引物質は、ヒト宿主の揮発性物質に似せたヒト匂いシミュレータと、糖源と、炭酸ガス供給源とを含む。ヒト匂いシミュレータは特定のバクテリア分解物により供給され、定常的に増大する炭酸ガス濃度および匂いをつけた糖ミールは培養基として用いる果汁を用い酵母の発酵によって供給することができる。
【００１２】
【実施例】
以下のようにして、蚊に対し幾つかの実験を行った。
蚊：  Ａｅｄｅｓ  ａｅｇｙｐｔｉ  を２３ないし２５℃に保持し、相対湿度６０−８０％、１２時間の明るい場所／１２時間の暗い場所の条件下で検査を行った。成虫を３０センチ立方のガーゼで覆われた籠の中に収容し、１０％（ｖ／ｖ）糖溶液で飼育した。生物検定において、４−８日齢のメスの蚊で血を与えていないものを、２ポート嗅覚計内に開放させた。この嗅覚計はフライトチャンバー（１．６ｍ  ｘ  ０．６ｍ  ｘ  ０．６ｍ）からなり、その中に蚊を解放させた。部屋からの空気は炭によりろ過させ、２個の蒸留水ボトル、２ポート体（直径が５センチ、３０センチ互いに離間させたもの）の１つを介して通過させ、ついで、上記フライトチャンバーに導入させた。匂い源は上記ポートに配置指せ、その温度を循環水システムによって３０℃に維持させた。一方、室温は２３−２５℃に維持させた。生体検定の観察時間は、蚊の放出後１５分で行った。嗅覚計の全ての部分を一連のテスト相互間において、７５％アルコールで洗浄し、強風を２０分間吹き付けた。更に、未知の源からの偏った直接的応答の影響を打ち消すため、各テストの後、処置および対照の位置をポート間で交互させた。
【００１３】
（バクテリア）
２種のコリネバクテリア、Ｂｒｅｖｉｂａｃｔｅｒｉｕｍ  ｅｐｉｄｅｒｍｉｄｉｓ  （ＢＥ）およびＢ．  ｌｉｎｅｎｓ  （ＢＬ）の菌株をＤｅｕｔｓｃｈｅ  Ｓａｍｍｌｕｎｇ  ｖｏｎ  Ｍｉｋｒｏｏｒａｎｉｓｍｅｎ  およびＺｅｌｌｋｕｌｔｕｒｅｎ  ＧｍｂＨ，Ｂｒａｕｎｓｃｈｗｅｉｇ，ドイツ国、Ｆｏｏｄ  Ｉｎｄｕｓｔｒｙ  Ｒｅｓｅａｒｃｈ  ＆  Ｄｅｖｅｌｏｐｍｅｎｔ  Ｉｎｓｔｉｔｕｔｅ，  Ｈｓｉｎｃｈｕ，  台湾から入手し、生体検定に使用した。バクテリアは３つの異なる培基：ＴＳＢ，  ＭＢ，  ＮＢで培養させた。この３種の培基の成分は、ＴＳＢ（トリプトン１５ｇ＋ソイトン５ｇ＋ＮａＣｌ５ｇ／Ｌ；ｐＨ＝７．３）；ＭＢ（ミルク粉５０ｇ＋ペプトン２．５ｇ＋ＮａＣｌ５ｇ／Ｌ；ｐＨ＝７．２）；ＮＢ（ペプトン５ｇ＋牛肉抽出物１．５ｇ＋イースト抽出物１．５ｇ＋ＮａＣｌ５ｇ／Ｌ；ｐＨ＝７．４）であった。これらは３０℃、２００ｒｐｍで２日間攪拌した。
蚊誘引の最も効率化のため、バクテリアおよび培基の異なる組み合わせを検査するため、異なる組み合わせからの２日齢バクテリア培基の４ｍＬを臭覚計でテストした。
【００１４】
表１に示すように、これら３種の培基のいずれにおいても、殆どの菌株は成長した。しかし、ＢＥ９５８５菌株は成長せず、誘引作用が認められなかった。これらの内、ＢＥ９５８６菌株のみが、これら全ての培基で誘引作用が認められ、ＮＢ培基で培養されたものが最大の誘引率を示した。一般に、加熱手段を設けない場合は、誘引作用は３０％を超えることはなかった。
【００１５】
表１．成虫メス蚊を誘引するバクテリア培基
0003902947.tif 000002
ａ：  蚊誘引の程度、百分率でほぼ測定された。
“−”は誘引を示さないもの、“＋”＝１０％、“＋＋”＝２０％、“＋＋＋”＝３０％。
ｂ：入手不能
【００１６】
ＮＢ培基で生育されたＢＥ９５８６菌株の吸引作用を更に特定するため、バクテリア培養物を遠心分離し、上澄み液を臭覚計で検査した。表２に示すように、成虫メス蚊の８６．７％ものものがバクテリア培養物上澄み液に誘引された。この誘引率はＮＢ培基単独よりも約２０％高く、匂い源なしのブランク溶液のものよりも２５％高かった。これはバクテリア培養物の分解により放出された揮発成分が成虫メス蚊をとりわけ誘引し得ることを示している。この検査において、加熱自体は６１．７％の誘引を示し、これは先の非加熱匂い源のものよりも高かった。更に、加熱装置は、バクテリア分解物の良好な蒸発に寄与するものである。
【００１７】
表２．バクテリア培養物上澄み液に誘引された蚊の誘引率（臭覚計で測定）
上澄み液ａ                  肉汁ｂ              ブランクｃ
８６．７±４．２ｄ    ６７．５±４．２      ６１．７±１１．８
ａ：１０，０００ｘｇ、１０分間の遠心分離で収集されたバクテリア培養物上澄み液。
ｂ：バクテリアを成長させるための培基。
ｃ：匂い源を臭覚計のポートに置かない。
ｄ：誘引された成虫メス蚊の数／３０ｘ１００％。
この検査においては３回の繰り返しが行われた。各繰り返しにおいて、３０匹の蚊の新規なバッチがフライトチャンバーに放たれた。
【００１８】
図１は本発明の好ましい１例に係わる装置を示す模式図である。図１において、装置１００は上部仕切り室１０２と、底部仕切り室１０４に分割され、ネジ付き容器１０６により接続されている。シールド１０８が上部仕切り室１０２の頂部に支持手段、例えば延長壁部を備えた支持ストックにより接続され、蚊を通過チャンネルに導くようにしている。シールド１０８は、約１−２センチ離して上部仕切り室１０２から分離されている。シールド１０８の下において、上部仕切り室１０２の頂部は複数の通過チャンネル１１０を含み、これらは上部仕切り室１０２の内部空間に向けて開放されている。この通過チャンネル１１０は蚊が通過可能な大きさの開口部を有するが、入ってくる蚊が逃げないように内側に開口している。上部仕切り室１０２をネジ付き容器１０６に嵌入させたのち、第１のボトル１２０が上部仕切り室１０２の内部およびネジ付き容器１０６のグリッド１１２上に配置される。この第１のボトル１２０は、少なくとも匂いシミュレータと、炭酸ガス供給用の供給源ならびに糖源とを有する。好ましくは、このヒト匂いシミュレータと、炭酸ガス供給源は培地を備えた酵母の発酵により提供される。この培地は糖源として役立つ果汁であってもよい。
【００１９】
図１を参照すると、底部仕切り室１０４は、時間制御手段と、温度制御手段とを少なくとも備えた適当な加熱アッセンブリー１１４を含む。この時間制御手段は、使用者のスケジュールに基づく適用時間をセットアップする。温度制御手段は、特定の温度（セットアップ温度）まで加熱し、その温度に維持させるもので、例えば、少なくとも１つの金属ヒータ１１６を有する。この金属ヒータ１１６はロジック回路により制御される。調整可能な加熱アッセンブリー１１４は使用者のセットアップにより制御され、バクテリアの培養およびバクテリア分解物の蒸発のための規則的な熱勾配を発生させる。第２のボトル１２２が底部仕切り室１０４の内部および底部に配置される。この第２のボトル１２２は、宿主匂いシミュレータ、例えばバクテリア分解物を有する。培地で特定の微生物（バクテリア）を培養することにより、代謝生成物が発生し、培地を分解し、バクテリア分解物を生成させる。好ましくは、先に使用されたコリネバクテリア菌株および培養条件が用いられる。例えば、ＮＢ（ペプトン５ｇ＋牛肉抽出物１．５ｇ＋イースト抽出物１．５ｇ＋ＮａＣｌ５ｇ／Ｌ；ｐＨ＝７．４）で生育されたＢＥ９５８６菌株がバクテリア分解物を生成させるのに使用される。ヒータ１１６は底部仕切り室１０４の内側および第２のボトル１２２の上に設けられ、底部仕切り室１０４を加熱し、第２のボトル１２２内の微生物培養のための熱を供給する。逆漏斗１１８が用いられ、ヒータ１１６により供給された熱を底部仕切り室１０４内に集め、上部仕切り室１０２に熱を移動させ、酵母発酵のための熱を供給する。その結果、２つの仕切り室に２つの異なる熱領域が形成される。上部仕切り室１０２および底部仕切り室１０４の熱領域はそれぞれ約３０℃および３７℃であることが好ましい。この２つの仕切り室の熱領域の維持により、微生物の培養およびバクテリア培地で生成する誘引物質の発生のための熱が供給される。更に、この熱領域の維持は体温に似せさせ、蚊を誘引するための誘引媒体として作用する。
【００２０】
蚊、Aedes aegypti種に対し匂いシミュレータと組み合わせたときの熱の作用の実験によれば、熱の蒸発と併用されたバクテリア分解物により蚊の６０％を誘引することができ、これは酵母の発酵により６０分間で誘引された蚊の４４％よりも大きいものであった。更に、バクテリアの分解、酵母の発酵、熱の蒸発の組み合わせにより相乗効果が生じ、臭覚計での１２時間の培養により捕捉された蚊は８５％に達した。バクテリア分解物を蚊の誘引物として或る時間、使用したところ、他の誘引物の場合と比較して、より多くの蚊を誘引することができたが、これは蚊の宿主探求行動における匂いの圧倒的影響によるものと思われる。
【００２１】
図２Ａは本発明の好ましい１例に係わる装置の斜視図；図２Ｂは図２Ａの装置の要部分解斜視図であり、図２Ｂは図２Ａの装置の要部分解斜視図である。
図２Ａを参照すると、装置２００には上部仕切り室２０２と、底部仕切り室２０４とが設けられ、ネジ付き容器２０６により接続されている。
図２Ｂを参照すると、装置２００が部分的に分解した斜視図として示され、装置の詳細が図示されている。第１のボトル２２０はグリッド固定具２２４の上に装着されている。ネジ付き容器２０６は、上部ネジ部２２６と、底部ネジ部２２８とを具備し、上部仕切り室２０２および底部仕切り室２０４をそれぞれ嵌合させると共に、上部ネジ部２２６と、底部ネジ部２２８との間にグリッド２１２を嵌合させている。第１のＯ−リング２３０と第２のＯ−リング２３２が、上部仕切り室２０２と、底部仕切り室２０４とをネジ付き容器でそれぞれシールするのに用いられている。グリッド固定具２２４はグリッド２１２上に配置され、上部仕切り室２０２をネジ付き容器２０６と嵌合させたのち、第１のボトル２２０が上部仕切り室２０２内に配置されるようになっている。なお、収集ウェブ２３４をグリッド固定具２２４とグリッド２１２との間に配置させ、死んだ蚊を収集するようにしてもよい。この収集ウェブ２３４は粘着物質を含んでもよく、これにより蚊又は殺虫剤を捕捉し、蚊を死亡させることもできる。更に、電気的グリッドを上部仕切り室２０２に設け、蚊を殺すようにしてもよい。
【００２２】
図２Ｂを参照すると、底部仕切り室は、着脱可能なアンダーキャリッジ２３８を備えたボトル固定具２３６を含んでいてもよい。第２のボトル２２２はボトル固定具２３６内に固定されている。着脱可能なアンダーキャリッジ２３８はボトル固定具２３６から取外すことができ、第２のボトル２２２を際充填したり、洗浄したりすることができる。ヒータ２１６および逆漏斗２１８はボトル固定具２３６の上に配置される。逆漏斗２１８はグリッド２１２の中央に面して狭い開口部を有し、底部仕切り室２０４に面して広い開口部を有する。それにより、チャンバーからあつめられた熱をグリッド２１２を介して上部仕切り室２０２に移動させることができる。
【００２３】
（誘引物放出ユニット）
本発明の他の好ましい例として、上記装置に更に、蚊用誘引物の放出、蒸発を促進させるための誘引物放出手段を含めることができる。この誘引物放出手段は、例えば、誘引物を細かな液滴として（例えば、約５−５０ミクロン）周囲に拡散させるためのスプレー機構を利用するものである。それにより、或る空間での誘引物の拡散速度および蒸発速度が高められ、誘引物の効率を向上させ、蚊を誘引する有効距離を増大させる。
【００２４】
本発明の誘引物放出手段の１例として誘引物放出ユニットが図３に他の好ましい例として模式図で示されている。図３において、誘引物放出（誘引物スプレー）ユニット３００は上記装置（図３で３０３として示す）の内部に、上部仕切り室の内部に、底部仕切り室の内部に、第２のボトルの内部に、あるいは上部仕切り室と底部仕切り室との間に配置される。更に、誘引物放出ユニット３００を電気的グリッドを結合させてもよい。
【００２５】
誘引物放出ユニット３００は、ステンレス鋼からなるスプレーノズル３０２と、小さなエアポンプ３０４とからなる。エアポンプ３０４は、エアカートリッジ又は他の同様の機能の機構で置換してもよい。スプレーノズル３０２は、外側チューブ３０６と、内側チューブ３０８とを具備し、これらは入れ子式になっている。
【００２６】
エアポンプ３０４は、チューブ３０９を介して空気をスプレーノズル３０２の内側チューブ３０８に加圧、導入するものである。外側チューブ３０６が蚊用誘引物（液状）内に挿入されるので、裂け目３１０が外側チューブ３０６の底に形成され、液状誘引物がサイホンの作用により、スプレーノズル３０２のキャップ３１２に達する。内側チューブ３０８に圧入された空気は小孔３１４を介して高速で噴射され、誘引物を非常に小さな液滴として放出させる（図３に矢線で示す）。この液滴は平均径が約５−５０ミクロンであり、従って、揮発性で、拡散が容易な霧状になる。
【００２７】
この装置３０３は、誘引物が大きな固まりで拡散されるのを防止するための外側シェルを有する。それにより、微細な液滴のみが周囲に拡散されることになる。従って、各液滴は急速、かつ、容易に蒸発し、誘引物の効率を高め、蚊を誘引する有効距離を増大させる。
【００２８】
従って、誘引物放出ユニットは誘引物を微細な液滴として外部に拡散させるから、或る空間での誘引物の拡散速度および蒸発速度が高められ、蚊を誘引する有効距離を増大させ、蚊用誘引物の効率を最大限に向上させることができる。
【００２９】
蚊誘引物質と組み合わせた場合の誘引物放出ユニットの効果を試験するため、蚊、Aedes aegypti種に対し３．５ｍ ｘ３．５ｍ ｘ ３ｍの部屋で実験を行った。その結果、蚊の捕捉率が３０％（誘引物放出ユニットを有しない場合）から、９０％（誘引物放出ユニットを有する場合）に増大させることができた。
【００３０】
従って、本発明の誘引物放出ユニットは、蚊用誘引物の拡散を増大させ、蚊の誘引を向上させ、それにより蚊の捕捉率を増大させることができる。更に、上述の蚊放出手段によるスプレー機構に代えて、気泡放出機構を使用し、蚊用誘引物の拡散を助けるようにしてもよい。溶液を有する特定の発泡剤間の化学的反応を介して、ガス、例えば炭酸ガスなど発生させ、周囲への誘引物の吹き付けを生じさせるようにしてもよい。従って、誘引物の放出が向上し、蚊の誘引を更に強化させることができる。この気泡吹き付け機構の１つの利点は、電力を必要としないから、殺虫剤又は粘着剤との組み合わせで屋外での使用に適している。
【００３１】
以上、本発明の趣旨を逸脱することなく、本発明の構成に対し種々の変更、改良が可能であることは当業者に自明であろう。上記記載に鑑み、本発明はそのような変更、改良も特許請求の範囲およびその均等物に含まれる限り、本発明により包含されることを意図している。
【図面の簡単な説明】
【図１】本発明の好ましい１例に係わる装置を示す模式図。
【図２】図２Ａは本発明の好ましい１例に係わる装置の斜視図；図２Ｂは図２Ａの装置の要部分解斜視図。
【図３】本発明の好ましい他の例に係わる装置における餌放出ユニットを示す模式図。
【符号の説明】
１００    装置
１０２    上部仕切り室
１０４    底部仕切り室
１０６    蝶ネジ容器
１０８    シールド
１１０    通過チャンネル
１１２    グリッド
１１６    金属ヒータ
１１８    逆漏斗
１２０    第１のボトル
１２２    第２のボトル
【図１】
0003902947.tif 000003
【図２】
0003902947.tif 000004
0003902947.tif 000005
【図３】
0003902947.tif 000006